(57)【要約】【課題】  コンパクトかつ軽量で、ハンドリング性に優れ、しかも、貝の割れ及び貝の閉塞の問題も改善できる貝の選別装置を提供する。【解決手段】  搬送方向１８に直交する方向に隙間Ｇをあけて平行に、かつ搬送方向１８に沿って下方に傾斜して配置された回転する複数の選別ローラー１９〜３０と、選別ローラー１９〜３０を回転する回転駆動手段３１とを備え、隣り合う選別ローラー１９〜３０の少なくとも１つを、隣り合う選別ローラー１９〜３０間に位置する貝１３、１３ａに上方向の力を作用する回転方向で回転し、供給された貝１３、１３ａを、隣り合う選別ローラー１９〜３０間で整列させながら、隙間Ｇ以上の厚さを有する貝１３は落下させることなく下流端まで搬送し、隙間Ｇ未満の厚さを有する貝１３ａを落下させて分離する。【選択図】        図１
2005087075.tif 000002
【特許請求の範囲】
【請求項１】
種々のサイズの貝を洗浄水と共に供給して、所定の厚さ以上の前記貝を選別する貝の選別装置であって、
搬送方向に直交する方向に所定のローラー間隔をあけて平行に、かつ搬送方向に沿って下方に傾斜して配置され、しかも、回転する複数の選別ローラーと、
前記複数の選別ローラーを回転する回転駆動手段とを備え、
隣り合う前記選別ローラーの少なくとも１つを、隣り合う前記選別ローラー間に位置する前記貝に上方向の力を作用する回転方向で回転し、供給された前記貝を、隣り合う前記選別ローラーの回転により隣り合う該選別ローラー間で整列させながら、隣り合う該選別ローラーの隙間以上の厚さを有する前記貝は落下させることなく下流端まで搬送し、一方、前記隙間未満の厚さを有する前記貝を落下させて分離することを特徴とする貝の選別装置。
【請求項２】
請求項１記載の貝の選別装置において、隣り合う前記選別ローラーの前記ローラー間隔を調整可能に構成したことを特徴とする貝の選別装置。
【請求項３】
請求項１及び２のいずれか１項に記載の貝の選別装置において、前記選別ローラーの傾斜角度を３〜１５°の範囲で調整可能にしたことを特徴とする貝の選別装置。
【請求項４】
請求項１〜３のいずれか１項に記載の貝の選別装置において、前記回転駆動手段は、前記選別ローラーの搬送上流側の端部の円周部に一部巻き付けられる無端ベルトと、該無端ベルトを駆動するベルト駆動機構とを備えていることを特徴とする貝の選別装置。
【請求項５】
請求項１〜４のいずれか１項に記載の貝の選別装置において、前記選別ローラーの回転方向は同一としたことを特徴とする貝の選別装置。
【請求項６】
請求項１〜４のいずれか１項に記載の貝の選別装置において、前記選別ローラーの回転方向は順次、逆としたことを特徴とする貝の選別装置。
【請求項７】
請求項１〜6 のいずれか１項に記載の貝の選別装置において、前記選別ローラーへの前記貝の供給は、設置面直上に供給部を有する無端式のポケットコンベアを介して行なうことを特徴とする貝の選別装置。
【請求項８】
請求項７記載の貝の選別装置において、前記ポケットコンベアの供給部の直上には、作業者がスコップにより前記貝を投入可能な投入ホッパーが設けられていることを特徴とする貝の選別装置。
【請求項９】
請求項１〜８のいずれか１項に記載の貝の選別装置において、前記複数の選別ローラーの下方に、前記ローラー間隔よりローラー間隔が狭い、別の複数の選別ローラー及び該別の複数の選別ローラーを回転する別の回転駆動手段を設け、前記貝の選別を複数段で行なうことを特徴とする貝の選別装置。
【発明の詳細な説明】
【技術分野】
【０００１】
本発明は、例えば、漁船の船上に設置され、漁船の近傍の海底で収穫された貝を砂やごみと共に供給して、所定のサイズ以上の貝を選別する貝の選別装置に関する。
【背景技術】
【０００２】
従来、船を使用して海で捕獲した貝の選別方法として、以下の方法が知られている。即ち、潜水夫が貝が生息している海底に潜り、大きくて長い網籠を持って海底を歩きながら、船上に接続された吸引ホースにより海底の表層部を掘り起こしながら、掘り起こされた貝を砂やごみと共に、網籠内に取り込み、網籠内が所定の量になると、浮上して船上に持ち上げてもらい、船上に設けられた貝の選別装置により所定のサイズの貝に選別している。
このような貝の選別装置の一例として、貝が通過可能な多数の選別孔が形成され、その内周壁面には投入部から排出部に向けて螺旋状の搬送用羽根が取付けられた選別ドラムを、外部回転駆動源を介して水平軸回りに回転するものが知られている（例えば、特許文献１参照）。
また、他の貝の選別装置として、投入ホッパーの下方に１段又は２段に設けられた矩形板状の篩網を、往復動させ、かつ、上下動させる揺動機構を備えたものも知られている（例えば、特許文献２参照）。
【０００３】
【特許文献１】特開２００３−１５８９４３号公報（図１〜図６）
【特許文献２】特開２００３−１１２１２３号公報（図１）
【発明の開示】
【発明が解決しようとする課題】
【０００４】
しかしながら、前記従来の貝の選別装置においては、未だ解決すべきそれぞれ以下のような問題があった。
特許文献１に記載のものにおいては、特に、装置の占有容積が大きく、しかも、装置の重量が重くなるため、漁期の開始時及び終了時に装置を船に積み込んだり、また、船から下ろしたりするのに大変な手間を要した。また、口を開いた貝や死んだ貝等が選別孔に閉塞し易いという問題もあった。
また、特許文献２に記載のものにおいては、特許文献１に記載のものに比較してコンパクト、かつ軽量にでき、しかも、閉塞の問題もかなり改善されるが、篩網の揺動によって貝が割れ易いという問題があった。
【０００５】
本発明はこのような事情に鑑みてなされたもので、コンパクトかつ軽量で、ハンドリング性に優れ、しかも、貝の割れ及び貝の閉塞の問題も改善できる貝の選別装置を提供することを目的とする。
【課題を解決するための手段】
【０００６】
前記目的に沿う請求項１記載の貝の選別装置は、種々のサイズの貝を洗浄水と共に供給して、所定の厚さ以上の前記貝を選別する貝の選別装置であって、搬送方向に直交する方向に所定のローラー間隔をあけて平行に、かつ搬送方向に沿って下方に傾斜して配置され、しかも、回転する複数の選別ローラーと、前記複数の選別ローラーを回転する回転駆動手段とを備え、隣り合う前記選別ローラーの少なくとも１つを、隣り合う前記選別ローラー間に位置する前記貝に上方向の力を作用する回転方向で回転し、供給された前記貝を、隣り合う前記選別ローラーの回転により隣り合う該選別ローラー間で整列させながら、隣り合う該選別ローラーの隙間以上の厚さを有する前記貝は落下させることなく下流端まで搬送し、一方、前記隙間未満の厚さを有する前記貝を落下させて分離する。
【０００７】
請求項２記載の貝の選別装置は、請求項１記載の貝の選別装置において、隣り合う前記選別ローラーの前記ローラー間隔を調整可能に構成している。
請求項３記載の貝の選別装置は、請求項１及び２記載の貝の選別装置において、前記選別ローラーの傾斜角度を３〜１５°の範囲で調整可能にしている。ここで、選別ローラーの傾斜角度を３°未満とすると、処理能力が低下し、一方、選別ローラーの傾斜角度が１５°を超えると、選別効率が低下する。
請求項４記載の貝の選別装置は、請求項１〜３記載の貝の選別装置において、前記回転駆動手段は、前記選別ローラーの搬送上流側の端部の円周部に一部巻き付けられる無端ベルトと、該無端ベルトを駆動するベルト駆動機構とを備えている。
【０００８】
請求項５記載の貝の選別装置は、請求項１〜４記載の貝の選別装置において、前記選別ローラーの回転方向は同一としている。
請求項６記載の貝の選別装置は、請求項１〜４記載の貝の選別装置において、前記選別ローラーの回転方向は順次、逆としている。
請求項７記載の貝の選別装置は、請求項１〜６記載の貝の選別装置において、前記選別ローラーへの前記貝の供給は、設置面直上に供給部を有する無端式のポケットコンベアを介して行なう。
【０００９】
請求項８記載の貝の選別装置は、請求項７記載の貝の選別装置において、前記ポケットコンベアの供給部の直上には、作業者がスコップにより前記貝を投入可能な投入ホッパーが設けられている。
請求項９記載の貝の選別装置は、請求項１〜８記載の貝の選別装置において、前記複数の選別ローラーの下方に、前記ローラー間隔よりローラー間隔が狭い、別の複数の選別ローラー及び該別の複数の選別ローラーを回転する別の回転駆動手段を設け、前記貝の選別を複数段で行なう。
【発明の効果】
【００１０】
請求項１〜９記載の貝の選別装置は、搬送方向に直交する方向に所定のローラー間隔をあけて平行に、かつ搬送方向に沿って下方に傾斜して配置された複数の選別ローラーを有し、隣り合う選別ローラーの少なくとも１つを、隣り合う選別ローラー間に位置する貝に上方向の力を作用する回転方向で回転しているので、隣り合う選別ローラー間に供給された貝は整列されながら搬送され、選別ローラーの隙間以上の厚さを有する貝は落下することなく下流端まで搬送され、一方、選別ローラーの隙間未満の厚さを有する貝は搬送途中にて落下して分離される。従って、回転する複数の選別ローラーによって貝を選別するので、従来の選別孔による閉塞の問題もなく、かつ、篩網の揺動によって貝が割れ易いという問題も解消でき、しかも、コンパクトで軽量な装置にでき、この結果、装置を船に積み込んだり、また、船から下ろしたりする手間がかからない。
【００１１】
特に、請求項２記載の貝の選別装置は、隣り合う選別ローラーのローラー間隔を調整可能に構成しているので、サイズを変えた貝の選別ができ、これにより、装置の使い勝手が向上する。
請求項３記載の貝の選別装置は、選別ローラーの傾斜角度を３〜１５°の範囲で調整可能にしているので、貝の処理量や貝の形状等の処理条件に適した選別ローラーの傾斜角度を選定でき、これにより、選別効率が向上する。
請求項４記載の貝の選別装置は、選別ローラーの搬送上流側の端部の円周部の一部に無端ベルトを巻き付けて選別ローラーを回転するので、選別ローラーを介して貝に衝撃を与えることがなく、このため貝の割れを抑えることができる。
【００１２】
請求項５記載の貝の選別装置は、選別ローラーの回転方向を同一としているので、選別ローラーの回転機構が簡略化されると共に、すべての選別ローラーを有効に利用できるため、処理能力が大きくなる。
請求項６記載の貝の選別装置は、選別ローラーの回転方向を順次、逆としているので、隣り合う選別ローラー共、その間に位置する貝に上方向の力を作用することができ、この結果、整列の効果が大きくなり、選別の精度が向上する。
請求項７記載の貝の選別装置は、選別ローラーへの貝の供給を、設置面直上に供給部を有する無端式のポケットコンベアを介して行なうので、選別ローラーへの貝の供給作業が簡略化される。
【００１３】
請求項８記載の貝の選別装置は、ポケットコンベアの供給部の直上に、作業者がスコップにより貝を投入可能な投入ホッパーを設けているので、ポケットコンベアへの貝の供給作業が容易となる。
請求項９記載の貝の選別装置は、複数の選別ローラーの下方に、ローラー間隔が狭い、別の複数の選別ローラー及び別の複数の選別ローラーを回転する別の回転駆動手段を設けて、貝の選別を複数段で行なうので、貝の選別効果が向上する。
【発明を実施するための最良の形態】
【００１４】
続いて、添付した図面を参照しつつ、本発明を具体化した実施の形態につき説明し、本発明の理解に供する。
ここに、図１は本発明の一実施の形態に係る貝の選別装置の正面図、図２は同貝の選別装置の平面図、図３は同貝の選別装置の左側面図、図４は同貝の選別装置の右側面図、図５（Ａ）、（Ｂ）はそれぞれ、同貝の選別装置の選別ローラーの回転駆動手段の構成を示す模式的正面図、側面図、図６は同貝の選別装置の選別ローラーの構成図、図７は選別ローラーの回転による整列及び分離のメカニズムの説明図、図８は本発明の一実施の形態に係る貝の選別装置の変形例の構成図、図９（Ａ）は本発明の一実施の形態に係る貝の選別装置の選別ローラーの回転方向を示す説明図、（Ｂ）、（Ｃ）、（Ｄ）はそれぞれ、同貝の選別装置の変形例に係る選別ローラーの回転方向の説明図である。
【００１５】
図１〜図７に示すように、本発明の一実施の形態に係る貝の選別装置１０は、例えば、漁船１１の船上（甲板）１２に設置され、漁船１１の近傍の海底（図示せず）で収穫された種々のサイズの貝１３、１３ａを砂やごみ等と共に供給して、所定のサイズ（例えば、貝の厚さ＝殻幅Ｔが１３ｍｍ）以上の貝１３を選別する装置である。
貝の選別装置１０は、貝１３、１３ａが砂やごみ等と共に供給され、かつ洗浄水の一例である海水１４が供給され、下端部に排出口１５が形成された投入ホッパー１６と、投入ホッパー１６の排出口１５の直下に供給部１７が形成され、搬送方向１８に直交する方向に所定のローラー中心間隔（ローラー間隔）Ｓをあけて平行に、かつ搬送方向１８に沿って下方に傾斜して配置され、しかも、回転する複数（本実施の形態では１２本）の選別ローラー１９〜３０と、選別ローラー１９〜３０を回転する回転駆動手段３１とを備えている。
【００１６】
図５（Ａ）、（Ｂ）及び図７に示すように、貝の選別装置１０においては、回転駆動手段３１により選別ローラー１９〜３０を、上流側から下流側に見て、反時計方向に回転させて、隣り合う選別ローラー１９〜３０間に位置する貝１３、１３ａや砂やごみ等に、選別ローラー１９〜２９の回転により下方向の力を作用すると同時に、選別ローラー２０〜３０の回転により上方向の力を作用することによって、隣り合う選別ローラー１９〜３０間で貝１３、１３ａや砂やごみ等を整列させながら、隣り合う選別ローラー１９〜３０の隙間Ｇ（例えば、１３ｍｍ）以上の殻幅Ｔを有する貝１３は落下させることなく下流端まで搬送し、一方、隙間Ｇ未満の殻幅Ｔを有する貝１３ａ（稚貝）及び砂やごみ等を落下させて分離することができるように構成されている。装置に使用する材料は海水による腐食を考慮して、ステンレス又は合成樹脂としている。
【００１７】
貝の選別装置１０は、さらに、選別ローラー１９〜３０の下方に配置され、選別ローラー１９〜３０により分離された貝１３ａ及び砂やごみ等を受けて海に排出する排出シュート３２と、選別ローラー１９〜３０の搬送下流側の端部の直下に供給部３３ａが設けられた貝排出シュート３３と、貝排出シュート３３の下流側下方に配置され貝排出シュート３３を介して排出される貝１３を貯留する貝貯留ボックス３４とを備えている。以下、これらについて詳しく説明する。なお、選別ローラー１９〜３０による貝１３、１３ａの搬送方向１８の水平方向をＸ方向とし、Ｘ方向に直交する水平方向をＹ方向とし、Ｘ方向及びＹ方向に直交する方向をＺ方向と定義する。
【００１８】
図１〜図４に示すように、投入ホッパー１６、選別ローラー１９〜３０、回転駆動手段３１、排出シュート３２及び貝排出シュート３３は、漁船１１の船上１２に設置された取付け架台３５に設けられている。取付け架台３５は、排出シュート３２及び貝排出シュート３３を固定し、船上１２に固定された固定部３６と、投入ホッパー１６、選別ローラー１９〜３０及び回転駆動手段３１が設けられ、固定部３６の上部に固定部３６に対してＸ−Ｚ面で傾斜可能に取付けられている傾動部３７とを有している。
【００１９】
図１〜図６に示すように、傾動部３７の下流側には、各選別ローラー１９〜３０の下流側の軸端を回転支持する前側軸受フレーム３８が設けられており、前側軸受フレーム３８の下部はＹ方向に間隔Ｋをあけて設けられた対となるピン３９により固定部３６に対して回動可能に取付けられている。一方、傾動部３７の上流側には、各選別ローラー１９〜３０の上流側の軸端を回転支持する後側軸受フレーム４０が設けられており、後側軸受フレーム４０の下部はＹ方向に間隔Ｋをあけて設けられた対となるジャッキアップ機構４１により、傾動部３７は固定部３６に対して接離可能に取付けられている。従って、ピン３９及びジャッキアップ機構４１によって、傾動部３７は固定部３６に対して傾動することができ、これにより選別ローラー１９〜３０の傾斜角度αを３〜１５°の範囲で調整することができる。
【００２０】
図２及び図４に示すように、後側軸受フレーム４０の後端上部にＹ方向に間隔をあけて設けられた対となる矩形板状の取付けブラケット４２、４３上に、ブラケット４４を介して投入ホッパー１６が設けられている。図１及び図３に示すように、投入ホッパー１６の底部は傾斜角度βで傾斜しており、底部には厚さ３ｍｍ程度のゴム板４５が貼りつけられており、ゴム板４５は投入時の緩衝材として作用する。投入ホッパー１６の前部には、下端部に形成される排出口１５の高さｈ（例えば、１００ｍｍ）を調整する（一例として、３０ｍｍ程度）矩形板状のシャッター４６が上下動可能に取付けられている。シャッター４６の前側上端部には、Ｕ字状の操作用の取手４７が固定されている。シャッター４６を投入ホッパー本体４８に固定できるように、投入ホッパー本体４８の前部の４個所にＺ方向に細長い長孔４９が形成されている。なお、投入ホッパー１６の排出口１５は幅Ｗであり、幅ＷのＹ方向の両端位置はそれぞれ、選別ローラー１９、３０の内側で、かつ選別ローラー２０、２９の外側に位置している。
【００２１】
図１、図２及び図４〜図６に示すように、回転駆動手段３１は、後側軸受フレーム４０の後側のＹ方向中央部に設けられたブラケット５０に取付けられた減速機付きモータ５１と、減速機付きモータ５１の出力軸５１ａに取付けられたベルトプーリー５２と、後側軸受フレーム４０の下部にＹ方向に間隔ｐをあけて回転可能に設けられた６個のベルトプーリー５３〜５８と、上側のベルトプーリー５３〜５８と下側のベルトプーリー５２との高さ方向の中間位置に、Ｙ方向に間隔Ｍをあけて設けられた方向転換用のベルトプーリー５９、６０と、選別ローラー１９〜３０の搬送上流側の端部の円周部の下部に巻き付けられて当接し、ベルトプーリー５２、５９、５３〜５８、６０により駆動される無端ベルト６１とを備えている。無端ベルト６１は直径が５ｍｍ程度の丸ベルトからなる。
【００２２】
従って、選別ローラー１９〜３０を駆動する無端ベルト６１のベルト駆動機構６６は、減速機付きモータ５１及びベルトプーリー５２〜６０を有している。減速機付きモータ５１は速度制御可能な構造としており、これにより、選別ローラー１９〜３０の回転速度Ｎは、例えば、３０〜２００ｒｐｍとなっている。図５（Ａ）に矢印で示す通り、選別ローラー１９〜３０の回転方向は反時計方向、ベルトプーリー５２〜５８の回転方向は時計方向、ベルトプーリー５９、６０の回転方向は反時計方向である。なお、ベルトプーリー５９、６０は、無端ベルト６１の張力を調整できるように、移動可能に取付けられている。
【００２３】
図２及び図６に示すように、各選別ローラー１９〜３０は、外径Ｄ( 例えば、３０ｍｍ）、内径ｄ（例えば、１０ｍｍ）、長さＬ（例えば、６００ｍｍ）を有するスリーブ状の樹脂パイプからなるローラー本体６２と、ローラー本体６２の内径ｄに嵌入して設けられ、搬送方向両端部がそれぞれ前側軸受フレーム３８、後側軸受フレーム４０に回転支持される長尺の回転軸６３とを備えている。ローラー本体６２と前側軸受フレーム３８との間の回転軸６３の外周には、小さな外径Ｔ（例えば、Ｔ＝Ｄ／２程度）を有するスリーブ状のスペーサー６４が間装されており、これにより、隣り合う選別ローラー１９〜３０のスペーサー６４の間に落下空間６５が形成されることになり、隙間Ｇから落下しなかった貝１３はこの落下空間６５から落下するように構成されている。
【００２４】
図１〜図４及び図７に示すように、隙間Ｇから落下して分離された隙間Ｇ未満の厚さを有する貝１３ａ及び砂やごみ等は、傾斜角度γに形成され、排出口３２ａが海面上に位置する排出シュート３２を介して、海に排出されるように構成されている。断面凹状の排出シュート３２は、取付け架台３５の固定部３６のブラケット６７に取付けられており、幅Ｈ、水平投影長さｎとしている。排出シュート３２の幅Ｈはローラー本体の長さＬと略同じとしている。選別ローラー１９〜３０での整列、分離を効果的に行なえるように、選別ローラー１９〜３０の回転速度Ｎ（ｒｐｍ）、傾斜角度α、外径Ｄ、長さＬ等が適宜決定される。
【００２５】
図１〜図３に示すように、隣り合う選別ローラー１９〜３０が形成する落下空間６５の直下には、傾斜角度δを有する貝排出シュート３３の供給部３３ａ（上流端部）が位置している。幅Ｑで、緩衝材としてのゴムが内張りされた断面凹状の貝排出シュート３３の下流端の直下には、直方体状の貝貯留ボックス３４が配置されている。なお、取付け架台３５の固定部３６の下部の４隅に設けられた脚部６８は、固定部３６の高さを調整可能な構造となっている。また、貝の選別装置１０の運転時には、投入ホッパー１６内に海水１４を供給すると共に、排出シュート３２及び貝排出シュート３３にも海水注入パイプ（図示せず）を介して海水１４を供給し、排出シュート３２及び貝排出シュート３３を洗浄して排出シュート３２及び貝排出シュート３３への堆積を防止している。
【００２６】
次いで、本発明の一実施の形態に係る貝の選別装置１０の使用方法及び作用（又は動作）について、図を参照しながら説明する。
（１）貝の漁期の開始時期（例えば、１１月）になると、貝の選別装置１０を港に停泊している漁船１１の船上１２に手作業で積み込み、必要に応じて、取付け架台３５の固定部３６の脚部６８の高さを調整する。
（２）漁船１１を漁場に移動し、潜水夫が海底に潜って、大きくて長い網籠を持って海底を歩きながら、吸引ホースにより海底の表層部を掘り起こしながら、掘り起こされた貝を砂やごみと共に、網籠内に取り込む。
【００２７】
（３）貝の選別サイズや漁場の条件や処理条件等を考慮して、シャッター４６を上下動して投入ホッパー１６の排出口１５の大きさを調整し、さらに、選別ローラー１９〜３０の回転速度Ｎや傾斜角度αを設定する。
（４）投入ホッパー１６内、排出シュート３２及び貝排出シュート３３に海水１４を供給する。
（５）回転駆動手段３１の減速機付きモータ５１を駆動して、選別ローラー１９〜３０を図５（Ａ）に示す回転方向に回転する。
【００２８】
（６）海底で作業している潜水夫は、網籠内が所定の量になると、浮上して網籠を船上に持ち上げる。
（７）船上の作業員が網籠内の貝１３、１３ａを砂やごみと共に、貝の選別装置１０の投入ホッパー１６内にスコップ等を用いて投入する。
（８）投入ホッパー１６内の貝１３、１３ａは砂やごみと共に、排出口１５から選別ローラー１９〜３０の上流部、即ち、ローラー本体６２の上流端部に落下する。
【００２９】
（９）選別ローラー１９〜３０のローラー本体６２の上流端部に供給された貝１３、１３ａを含む供給物は、図２、図６及び図７に示すように、搬送方向１８に沿って下流側に搬送されるが、選別ローラー１９〜３０のローラー本体６２の隙間Ｇより小さい貝１３ａや砂やごみは隙間Ｇから下方の排出シュート３２に落下する。
一方、隙間Ｇより大きい貝１３は、貝１３の形状と重心位置ｇとの関係により、隣り合う選別ローラー１９〜３０のローラー本体６２間で整列されながら、即ち、常に貝１３の背側が上側で、貝足側が下側にされながら、ローラー本体６２の下流側端で落下空間６５を経由して貝排出シュート３３へ落下する。
【００３０】
（１０）排出シュート３２に落下した小さい貝１３ａを含む小物類は、海水注入パイプを介して供給される海水１４により、排出シュート３２に堆積することなく、海水１４と共に海面に排出される。
（１１）貝排出シュート３３に落下した大きな貝１３は、海水注入パイプを介して供給される海水１４により、貝排出シュート３３に堆積することなく、海水１４と共に貝貯留ボックス３４内に排出される。
【００３１】
（１２）貝貯留ボックス３４が貝１３でいっぱいになると、別の空の貝貯留ボックス３４と交換する。
（１３）前記（６）〜（１２）を所定回数繰り返し、行なう。
（１４）潜水夫による貝取り作業が終了すると、投入ホッパー１６内、排出シュート３２及び貝排出シュート３３への海水１４の供給を停止し、減速機付きモータ５１の運転を停止して、貝の選別作業を終了する。
【００３２】
（１５）漁船１１を港に入港し、貝１３の入った貝貯留ボックス３４を陸揚げして一日の全ての作業を終了する。
（１６）漁期（例えば、１１月〜５月）の間、前記（２）〜（１５）を所定期間繰り返す。
（１７）漁期が終了（例えば、５月）すると、船上１２に設置されている貝の選別装置１０を漁船１１から手作業で荷卸しし、元あった保管場所まで搬送する。
【００３３】
図８には、本発明の一実施の形態に係る貝の選別装置１０の変形例の貝の選別装置７０の構成を模式的に示す。貝の選別装置７０が貝の選別装置１０と主として異なる点は、船上１２で作業員が網籠内の貝を砂やごみと共に、スコップ等を用いて投入する作業を楽に行なえるように、投入ホッパー７１の位置を低くした点である。なお、その他の点は、貝の選別装置１０に準じている。
【００３４】
図８に示すように、貝の選別装置７０は、取付けフレーム７２に取付けられ、上流側に投入ホッパー７１の下端と僅少の隙間をあけて配置された水平部７３及び水平部７３に接続され、下流側に沿って上昇する傾斜部７４を備えたポケットコンベア７５と、取付け架台７６に固定され、ポケットコンベア７５の排出部の下流側に設けられた供給シュート７７と、取付け架台７６に固定され、供給シュート７７の供給端の下方に上流部が配置された選別ローラー７８〜８９と、取付け架台７６に固定され、選別ローラー７８〜８９の下方に配置された排出シュート９０と、取付け架台７６に固定され、選別ローラー７８〜８９の下流端部の直下に供給部が設けられた貝排出シュート９１と、貝排出シュート９１の先端部の下方に配置された貝貯留ボックス９２とを備えている。
【００３５】
ポケットコンベア７５及び投入ホッパー７１の組み合わせにより、人手による供給高さを、供給シュート７７の高さＶ（例えば、６００〜１０００ｍｍ）から、投入ホッパー７１の上端位置の高さＲ（例えば、３００〜４００ｍｍ）に低くすることができ、これにより、投入ホッパー７１への投入作業が簡略化される。
【００３６】
本発明は前記した実施の形態に限定されるものではなく、本発明の要旨を変更しない範囲での変更は可能であり、例えば、前記したそれぞれの実施の形態や変形例の一部又は全部を組み合わせて本発明の貝の選別装置を構成する場合も本発明の権利範囲に含まれる。
前記実施の形態においては、貝の選別装置１０、７０を船上１２に設置して使用したが、これに限定されず、必要に応じて、陸上で使用することもできる。また、砂やごみ等と一緒にして貝を選別したが、これに限定されず、状況に応じて、貝のみを選別することもできる。
【００３７】
貝の選別装置１０においては、隣り合う選別ローラー１９〜３０間の隙間Ｇを一定としたが、これに限定されず、必要に応じて、隙間Ｇを調整可能に（即ち、ローラー中心間隔Ｓを調整可能に）構成することもできる。例えば、各選別ローラー１９〜３０の回転軸６３の両端部がそれぞれ、前側軸受フレーム３８及び後側軸受フレーム４０を水平方向に移動可能で、且つ、前側軸受フレーム３８及び後側軸受フレーム４０に固定可能な構造とすることができる。なお、この場合、隙間Ｇの大きさに応じて、選別ローラー１９〜３０の本数を増減することが必要となる。
選別ローラー１９〜３０の傾斜角度αを３〜１５°の範囲で調整可能にしたが、これに限定されず、状況に応じて、傾斜角度αを一定に固定することもできる。
【００３８】
回転駆動手段３１は、選別ローラー１９〜３０の搬送上流側の端部の円周部の一部に巻き付けられる無端ベルト６１と、無端ベルト６１を駆動するベルト駆動機構６６とを設けたが、これに限定されず、必要に応じて、その他の構造（例えば、ギア）の回転駆動手段を用いて選別ローラー１９〜３０を回転することもできる。
無端ベルト６１を選別ローラー１９〜３０の搬送上流側の端部の円周部の一部に巻き付けたが、これに限定されず、状況に応じて、選別ローラーの搬送上流側の端部の円周部に断面凹状のベルト溝を形成し、無端ベルトがこのベルト溝に嵌入するように構成することもできる。
【００３９】
図５（Ａ）に示すように、選別ローラー１９〜３０の回転方向を反時計方向としたが、これに限定されず、必要に応じて、時計方向とすることもできる。また、図９（Ａ）に示すように、選別ローラー１９〜２３（２４〜３０も同じ）の回転方向を同一としたが、これに限定されず、必要に応じて、図９（Ｂ）に示すように、順次逆方向に回転することもできる。この場合には、図５（Ａ）に示すように、無端ベルト６１ａを選別ローラー１９〜３０に巻き付ける方向を２点鎖線で示す通りとする。ただし、図９（Ｂ）に示すように、隣り合う選別ローラー間に位置する貝に両方共、下方向の力を作用する隣り合う選別ローラー１９、２０（２１、２２）間には、断面山形のブロック部材９３を設け、貝１３等が入り込んで割れや閉塞によるトラブルを起こさないようにしている。
【００４０】
選別ローラー１９〜２３（２４〜３０も同じ）の外径Ｄを同一としたが、これに限定されず、必要に応じて、図９（Ｃ）に示すように、小さい外径の選別ローラー２０ａ、２２ａを設けて、交互に外径Ｄを変えることもでき、さらに、図９（Ｄ）に示すように、選別ローラー２０ａ、２２ａの回転方向を時計方向とし、隣り合う選別ローラー１９、２０ａ（２１、２２ａ）間には、貝１３等が入り込んで閉塞によるトラブルを起こさないように、断面山形のブロック部材９３ａを設けることもできる。
【００４１】
選別ローラー１９〜３０の下方に排出シュート３２を設け、排出シュート３２に落ちたものを海に捨てたが、これに限定されず、必要に応じて、排出シュート３２の代わりに、ローラー中心間隔Ｓよりローラー間隔が狭い、別の複数の選別ローラー及びこの別の複数の選別ローラーを回転する別の回転駆動手段を設け、貝の選別を複数段（２段又は３段）で行なうことができるように構成することもできる。
洗浄水として海水１４を使用したが、これに限定されず、状況に応じて、水道水や工業用水やその他の流体を使用することもできる。
【００４２】
貝の選別装置７０において、選別ローラー７８〜８９への貝１３、１３ａ等の供給は、設置面（船上１２）直上に供給部を有する無端式のポケットコンベア７５と、ポケットコンベア７５の水平部７３直上に設けられた投入ホッパー７１を介して行なうように構成したが、これに限定されず、必要に応じて、投入ホッパー７１を省略して、ポケットコンベア７５の水平部７３に直接供給することもできる。
【図面の簡単な説明】
【００４３】
【図１】本発明の一実施の形態に係る貝の選別装置の正面図である。
【図２】同貝の選別装置の平面図である。
【図３】同貝の選別装置の左側面図である。
【図４】同貝の選別装置の右側面図である。
【図５】（Ａ）、（Ｂ）はそれぞれ、同貝の選別装置の選別ローラーの回転駆動手段の構成を示す模式的正面図、側面図である。
【図６】同貝の選別装置の選別ローラーの構成図である。
【図７】選別ローラーの回転による整列及び分離のメカニズムの説明図である。
【図８】本発明の一実施の形態に係る貝の選別装置の変形例の構成図である。
【図９】（Ａ）は本発明の一実施の形態に係る貝の選別装置の選別ローラーの回転方向を示す説明図、（Ｂ）、（Ｃ）、（Ｄ）はそれぞれ、同貝の選別装置の変形例に係る選別ローラーの回転方向の説明図である。
【符号の説明】
【００４４】
１０：貝の選別装置、１１：漁船、１２：船上、１３、１３ａ：貝、１４：海水（洗浄水）、１５：排出口、１６：投入ホッパー、１７：供給部、１８：搬送方向、１９〜３０：選別ローラー、２０ａ、２２ａ：選別ローラー、３１：回転駆動手段、３２：排出シュート、３２ａ：排出口、３３：貝排出シュート、３３ａ：供給部、３４：貝貯留ボックス、３５：取付け架台、３６：固定部、３７：傾動部、３８：前側軸受フレーム、３９：ピン、４０：後側軸受フレーム、４１：ジャッキアップ機構、４２、４３：取付けブラケット、４４：ブラケット、４５：ゴム板、４６：シャッター、４７：取手、４８：投入ホッパー本体、４９：長孔、５０：ブラケット、５１：減速機付きモータ、５１ａ：出力軸、５２〜６０：ベルトプーリー、６１、６１ａ：無端ベルト、６２：ローラー本体、６３：回転軸、６４：スペーサー、６５：落下空間、６６：ベルト駆動機構、６７：ブラケット、６８：脚部、７０：貝の選別装置、７１：投入ホッパー、７２：取付けフレーム、７３：水平部、７４：傾斜部、７５：ポケットコンベア、７６：取付け架台、７７：供給シュート、７８〜８９：選別ローラー、９０：排出シュート、９１：貝排出シュート、９２：貝貯留ボックス、９３、９３ａ：ブロック部材
【図１】
2005087075.tif 000003
【図２】
2005087075.tif 000004
【図３】
2005087075.tif 000005
【図４】
2005087075.tif 000006
【図５】
2005087075.tif 000007
【図６】
2005087075.tif 000008
【図７】
2005087075.tif 000009
【図８】
2005087075.tif 000010
【図９】
2005087075.tif 000011